(57)【要約】【課題】現在一般家庭や事業所などに供給されている電力会社の電力以外に、家庭などで省エネとして普及している装置としては太陽電池などがあります。また直接には電気とは少し異なりますが、省エネ設備としての熱供給としての太陽温水装置などが一般家庭の屋根で見かけることがありますが、これら省電力を目的とするものは、未だに一般家庭の一部をカバーするのみであり、大衆化には価格的にもまだまだ高額であります。【解決手段】一般的には太陽電池は直接電力供給を目的としておりますが、本発明は電力よりもその太陽電池の電力を元とした回転力の利用を目的とし、その回転力の間接利用で発電をするというもので、一般家庭の必要電力を安定的に供給する事を目的とした発電装置であります。【選択図】図１
2008301693.tif 000002
【特許請求の範囲】
【請求項１】
板羽根上面にソーラー電池を張り付け、該板羽根と直結する上部縦方向の回転筒内側には該ソーラー電池と接続する電磁石を取り付け、該電磁石中心部には永久磁石を固定し、上部筒と直結する内部空間を有する下部横方向回転円盤上下の内壁には空間に相対して永久磁石を取り付け、該上下空間中央には発電用コイルを配置し、蓄電用としてバッテリーを装備した発電装置。
【請求項２】
ソーラー電池並びにバッテリーを発電装置本体と分離した請求項１記載の発電装置
【請求項３】
上部回転筒が手動又はスプリング機能若しくは水車によって回転する請求項１記載の発電装置
【請求項４】
補助回転力として風車を取り付けた請求項１記載の発電装置。
【請求項５】
請求項１に記載の発電装置を装着した各種道路標識
【発明の詳細な説明】
【技術分野】
【０００１】  本発明は、地球規模の環境汚染はもとより、有限資源として枯渇が心配され始めた化石燃料や、後処理が問題となる原子力などに代わり、自然界に降り注ぐ、有り余る天然のエネルギーをいかに有効に活用するか、若しくは活用することにより地球環境に与える環境汚染やエントロピーを出来る限り最小限に抑えることに挑戦した天然のエネルギー回収とその利用技術に関するものである。
【背景技術】
【０００２】産業革命以来、世界は著しい発展を遂げ、人々の生活もより豊かになりましたが、生活の豊かさに比例して家庭における電気の使用量は急速に増大しております。工業においても経済の発展と共に、各種の工場生産は益々盛んになると同時に、電気の使用量も増大しております。又環境関係では必ず問題となるＣＯ２問題においても、そのＣＯ２を吸収すべき林業や農業生産においてさえ拡大増産すれば、当然化学肥料や農薬などをはじめとした化学品が大量に消費され、その生産や途中経路を含め大量の石油消費や排ガスを伴います。これらの一連の関連工場は当然その生産を拡大する為、生産工場の使用電力量は益々増大します。流通業界においても競争の激化により店舗の照明は昼間から光々と輝き、顧客の満足度、贅沢度はより新鮮さを求め、その鮮度維持の為のあらゆる装置が大量の電力を消費します。又、一歩家庭に入れば嘗ては理想の家庭と想われていた大量の白物家電が、今や有り余り大容量の電力を消費し、これらの高額家電も、なんら抵抗も無く日常的に粗大ごみとして大量に廃棄物として処理される時代となりました。昨今では一般家庭でも１００Ｖから２００Ｖの電気を必要とする時代となり、使用電力量は１０ｋｗ／日を超える時代となりました。建築物もより高級化し冷暖房は常備品となり東京などは冷房機などが排出する排熱などで気温が上昇するほど電力を必要としております。国道などは雨水の浸透や蒸発や気化熱など、自然界の浄化作用は不可能なほど整備されました。そして今や大量のマイカー時代となり益々化石燃料の消費は増大しております。自動車業界も化石燃料に代わる車として電気自動車を開発しております。しかしこれらの一見クリーンな電気も全て有限資源である化石燃料をそのエネルギー源としております。クリーンなエネルギーとして原子力が確かに注目されておりますが、これとて肝心の核廃棄物の処理についていまだに根本の解決策はありません。又先願特許についてもソーラー発電関係では沢山出願されておりますが、特開平５−２２３３９７号公報をはじめとし、ほとんどがソーラーにより発電した電力を、そのまま電力として利用する考え方が主流であり、回転力として利用する思想はほとんどありません。その上代替エネルギーとしてのソーラー発電の普及度は未だ一般の家庭の電力を潤すほど潤沢ではありません。又、世界のグローバル化は化石燃料の高騰を呼び、今やエネルギーの早急なる根本解決が叫ばれておりますが、未だ妙案が無く地球に優しい、バイオ燃料も食料問題と絡みエネルギー問題は益々複雑化している今日、本発明はこれらの問題に対して解決策の一つとして一石を投じるものであります。【０００３】
【特許文献１】特開平５−２２３３９７号公報
【発明の開示】
【発明が解決しようとする課題】
【０００４】本発明はかかる問題点に鑑みてなされたもので、その目的は地球環境に重大な影響を及ぼす化石燃料を出来る限り使用せずに、自然界の有り余る天然エネルギーをふんだんに取り込み、且つその装置たるや時代の感覚を採り入れやすい、出来る限り負荷の掛からない簡易な装置で、広範囲な普及を図る為の価格帯も考慮し、故障も少なく設置も容易で、且つ耐久性の高い製品技術を提供するものである。
【問題を解決するための手段】
【０００５】文明根源の利器たる電力に関する上記問題点は、下記構成の本発明の発電機によって解決することができる。すなわち、本発明発電機は自然界の有り余る天然エネルギーを、余分な負荷を掛けずに且つ広範囲な普及を目指す為、低価格での製品化を十分考慮し、出来るだけ設備投資を抑えた簡易な装置とし、一般家庭の電力料金で十分償却できる製品化のため、部品点数を少なく抑え、且つ故障の少ないいわゆる半永久的にメンテナンスフリーとする製品化を目指すと同時に、発電且つ蓄電が出来ることを特徴とする小型発電装置。
【発明の効果】
【０００６】特別な大邸宅は別として一般の家庭における消費電気量は３〜５ｋｗ／ｈあれば十分であり、本発明の発電装置を家庭に設置することにより、現在の家庭における年間の電気使用料金数年分で十分償却が可能であり、家計費を削減することはもとより、町工場などでは本発明装置を複数台設置することにより、わが国産業の基礎を支える中小企業の経費削減にも十分その可能性があり、中小企業の輸出力も向上し、何よりもその発電分だけ化石燃料の消費も削減され、原子力に頼る度合いも無くなり、ひいては大気汚染などの環境問題の解決にも貢献することが可能となり、本技術を世界に広めることにより環境問題はもとより、わが国産業の基礎体力をも改善することとなり、家庭はもとより産業界にも多大なる貢献を果たす技術である。
【発明を実施するための最良の形態】
【０００７】本発明発電機の構造とその作用機能を図面で説明する。
第１図は、本発明発電機の構造の説明図である。
最上部の回転羽根３にはソーラー電池が取り付けてあり、日中の太陽エネルギーによりソーラー電池の発電が始まるとソーラー電池に接続する電磁石６が作動し、永久磁石１に反発して電磁石６が回転運動を起こすことのより上部縦型筒全体５が回転を始め、同時に上部縦筒と連結する下方の横型円盤上面７下面１０が一体として回転運動を始める。本発明の基礎となるエネルギーにはソーラー電池使用のため、風力を一切必要とせず、日陰でも本発電機が要する程度の回転力には十分であり、ソーラー電池は横型円盤上面７下面１０にはそれぞれ永久磁石８が埋め込んであり横型円盤上面下面間には空間があり、その空間には発電用コイル９がセットしてある為、横型円盤上面７下面１０の回転は横型円盤上面と下面間の磁力線を遮断することとなり、発電用コイル８に電気が発生する。発電用コイルの芯材に鉄心を用いた場合、発電量が約３割増すことも判明した。以上が本発明の発電機の原理であり、夜間などは昼間の余剰電力をバッテリーに蓄電することにより対応すればよい。尚発電機本体の回転抵抗をすくなくする為、台座１２の回転溝１１部分に永久磁石を埋め込みリニアにしてもよい。風車４は回転力の補助エネルギーとして取り付けたものであり、サイズもテレビアンテナや室外機をマンションのベランダやビルの屋上に設置する作業と同程度で可能なサイズや重量とした。
【実施例１】
【０００８】  実施例によって本発明を説明する。
発電機の構造：第１図の構造
玩具用飛行機のプロペラ上面にはソーラー電池を貼り付け、プロペラ下面に直結する縦方向筒の内側にソーラー電池と接続されたコイルを貼り付け、縦方向筒下部には横型ボックスを取り付け、上下に分割された横型ボックス内側上下のそれぞれの内面には、永久磁石を埋め込み、その横型ボックスの空間に発電用コイルを非接触形に配置することにより、プロペラと上下のボックスが一体化して回転した結果、横型ボックス内中心部に配置された発電用コイルには電気が発生することが確認され、その発生電力も横型ボックスの回転速度やコイルの巻き数に比例することが確認された。
【産業上の利用可能性】
【０００９】以上記したように、特別な大邸宅や夏の猛暑日は別として、一般の家庭における消費電気量は３ｋｗ／ｈ程度あれば十分であり、本発明装置一式の利用により現在の年間電気料金の数年分で十分償却が可能で有り、家計費を削減することはもとより、又産業界においても本発明の大型発電機を複数台を設置することによって、わが国産業の基礎を支える中小企業の経費削減にも貢献し、ひいては中小企業の輸出力も向上し、何よりもその分化石燃料の消費も削減され、原子力に頼る度合いも無くなり、大気汚染などの環境問題の解決にも貢献することが可能となり、本技術を世界に広めることにより環境問題はもとより、わが国産業の基礎体力をも改善することとなり、電力の利用の有利性と共に本装置を応用とした産業機器分野においても産業界には多大なる期待が出来る技術分野である。
【図面の簡単な説明】
【００１０】
【図１】図１は本発明発電装置の構造の説明図である。
【符号の説明】
【００１１】１  永久磁石
２  ソーラー電池
３  回転羽根
４  風車羽根
５  上部縦型筒
６  電磁石用コイル
７  下部上面円盤
８  永久磁石
９  発電用コイル
１０  下部下面円盤
１１  回転溝
１２  台座
【図１】
2008301693.tif 000003